(57)【要約】【課題】電柱上での活線作業などに使用される工具の簡易保管が可能であり、活線作業の作業性を向上可能であり、活線作業時の感電をより防止可能な工具吊下具及び間接活線工具吊下具を提供する。【解決手段】予め間接活線工具に設けられた接続部材に接続可能な接続部２１を備え、活線が張られた柱の凸部及びリング部に吊下げ可能な吊下部２３を有し、接続部２１を用いて間接活線工具に接続し、吊下部２３を電柱の凸部や開放されていない支持具、電柱或いは活線作業者などに固定された絶縁ロープ、活線作業者の身体の一部或いは活線作業者の作業着の一部などに吊下げる。【選択図】図５
2008017585.tif 000002
【特許請求の範囲】
【請求項１】
予め工具に設けられた接続部材に接続可能な接続部を本体に備え、被吊下げ部に吊下げ可能な吊下部を有することを特徴とする工具吊下具。
【請求項２】
請求項１に記載の工具吊下具において、被吊下げ部が電柱の一部であることを特徴とする工具吊下具。
【請求項３】
請求項１または２に記載の工具吊下具において、接続部材及び接続部の一方を他方に押入れると共に回転させることで一体的に接続されるツイストロックであることを特徴とする工具吊下具。
【請求項４】
請求項１〜３の何れかに記載の工具吊下具において、吊下部が紐状部材を備え、紐状部材の一端が本体に固定され、着脱自在なフックが紐状部材の他端に備えられていることを特徴とする工具吊下具。
【請求項５】
請求項１〜４の何れかに記載の工具吊下具において、工具の接続部材が取手部を取付け或いは工具を延長するための接続部材であることを特徴とする工具吊下具。
【請求項６】
請求項１〜５の何れかに記載の工具吊下具が接続される工具が予め接続部材が設けられた間接活線工具であり、間接活線工具の接続部材に接続可能な接続部を本体に有することを特徴とする間接活線工具吊下具。
【発明の詳細な説明】
【技術分野】
【０００１】
本発明は様々な工具を接続可能な工具に接続され、取扱いの簡便性を向上させ落下防止に効果的な、吊下部を有する工具吊下具に関する。
【背景技術】
【０００２】
現在、主に電柱上部での高所作業など、活線作業には間接活線工具或いはホットスティックと呼ばれる棒状工具が使用されている。この間接活線工具の多くは両端部に接続部材を有し、一方には絶縁性材料からなる取手等が接続され、取手と逆側の端部には多種多様な活線作業用工具が着脱自在に接続され、これにより活線作業者は絶縁を保ったまま感電を防止して活線作業を間接的に行うことができる（特許文献１参照）。
【０００３】
これまで活線作業中に間接活線工具が一時的に不要となった際には、絶縁性を有する収納袋に間接活線工具を収め、収納袋を電柱の足掛けなどの凸部に吊下げていた。
【０００４】
しかしながら、この収納袋自体が大きいため作業の妨げとなったり、間接活線工具の出し入れの際に一度間接活線工具を収納袋の開口部よりも高位置にする必要があるため、間接活線工具の上下に伴って電路に接触してしまったり、収納袋からの間接活線工具の出し入れに手間がかかったりする等の虞があった。
【０００５】
【特許文献１】特開平０７−２２２３１７号公報
【発明の開示】
【発明が解決しようとする課題】
【０００６】
本発明は上記の状況に鑑み、工具の簡易保管が可能であり、活線作業の作業性を向上可能であり、活線作業時の感電をより防止可能な工具吊下具を提供することを目的とする。
【課題を解決するための手段】
【０００７】
上記課題を解決する本発明の第１の態様は、予め工具に設けられた接続部材に接続可能な接続部を本体に備え、被吊下げ部に吊下げ可能な吊下部を有することを特徴とする工具吊下具にある。
【０００８】
かかる第１の態様では、予め工具に設けられた接続部材を利用して工具吊下具を容易に工具に接続し、吊下部を利用して工具を容易に被吊下げ部に吊下げることで、工具を簡易保管することができる。これにより面倒な収納袋からの出し入れが不要となるため、作業性を向上させることができ、また工具の収納袋からの出し入れに伴う落下も防止することができる。
【０００９】
本発明の第２の態様は、第１の態様に記載の工具吊下具において、被吊下げ部が電柱の一部であることを特徴とする工具吊下具にある。
【００１０】
かかる第２の態様では、吊下部を利用して工具を容易に電柱の一部に吊下げることができる。
【００１１】
本発明の第３の態様は、第１または第２の態様に記載の工具吊下具において、接続部材及び接続部の一方を他方に押入れると共に回転させることで一体的に接続されるツイストロックであることを特徴とする工具吊下具にある。
【００１２】
かかる第３の態様では、ツイストロックを利用して工具吊下具を容易に工具に接続させることができる。
【００１３】
本発明の第４の態様は、第１〜３の何れかの態様に記載の工具吊下具において、吊下部が紐状部材を備え、紐状部材の一端が本体に固定され、着脱自在なフックが紐状部材の他端に備えられていることを特徴とする工具吊下具にある。
【００１４】
かかる第４の態様では、吊下部に着脱自在なフックが設けられていることにより、開放されていない支持具や作業者の身体或いは作業着の一部などに容易に吊下部を取付けることが可能となる。
【００１５】
本発明の第５の態様は、第１〜４の何れかの態様に記載の工具吊下具において、工具の接続部材が取手部を取付け或いは工具を延長するための接続部材であることを特徴とする工具吊下具にある。
【００１６】
かかる第５の態様では、取手を取付け或いは延長するために予め設けられた接続部材を利用して、容易に工具吊下具を接続することができる。
【００１７】
本発明の第６の態様は、第１〜５の何れかの態様に記載の工具吊下具が接続される工具が予め接続部材が設けられた間接活線工具であり、間接活線工具の接続部材に接続可能な接続部を本体に有することを特徴とする間接活線工具吊下具にある。
【００１８】
かかる第６の態様では、本発明の工具吊下具を間接活線工具に適用し、活線作業をより安全且つ効率的に行うことができる。
【発明の効果】
【００１９】
本発明によれば、予め工具に設けられた接続部材に接続可能な接続部を備え、吊下部を有する吊下具を用いて、容易に工具に接続可能であり、簡易保管、作業性の向上、感電防止、及び間接活線工具の落下防止が可能であり、さらに作業前後の保管が容易な工具吊下具を提供することができる。
【発明を実施するための最良の形態】
【００２０】
以下、本発明の実施の形態を図１〜図６に基づき説明する。本実施形態においては、本発明の間接活線工具吊下具が電柱上部に張られた高圧活線作業に用いられる場合を例示する。なお、本発明は以下に示した実施の形態には限定されない。
【００２１】
図１に本発明の実施形態に係る間接活線工具吊下具が取付けられる間接活線工具の概略、図２に本発明の実施形態に係る間接活線工具吊下具が接続される間接活線工具の接続部材の概略、図３に本発明の実施形態に係る間接活線工具吊下具が取付けられる間接活線工具に取付けられた既存の取手の概略、図４に従来電柱上で用いられている間接活線工具の収納袋の概略、図５に本発明の実施形態に係る間接活線工具吊下具の概略、図６に本発明の実施形態に係る間接活線工具吊下具の使用例を示す。
【００２２】
電柱上部での高所作業など、活線作業には図１に示すような間接活線工具１と呼ばれる棒状の工具が使用される。本実施形態における間接活線工具吊下具が取付けられる間接活線工具１は絶縁棒２の両端部に図２に示す接続部材３を有し、一方には図３に示す絶縁性の取手４が接続され、取手４と逆側の端部には先端工具５が接続されている。取手４及び先端工具５には接続部６が設けられ、絶縁棒２の両端の接続部材３に取手４及び先端工具５の接続部６が着脱自在に接続されて一体的となる。また、先端工具５を操作するための絶縁性の補助棒７及びレバー８が設けられ、レバー８は絶縁棒２の取手４付近に取付けられ、補助棒７の一端が先端工具５に、他端がレバー８に取付けられている。このレバー８の操作で補助棒７を介して先端工具５が動作する。これにより、活線作業者はレバー８の操作や間接活線工具１自体の操作により絶縁を保ったまま感電を防止して活線作業を間接的に行うことができる。
【００２３】
本実施形態における接続部材には図２及び図３に示すようにツイストロック９が用いられる。図２に示す絶縁棒２の凹部１０と図３に示す取手４の凸部１１が合わされ、一方を他方に押入れると共に回転させることで、接続部材３及び接続部６が一体的に接続される。即ち、凸部１１には図３に示すような側面突起１２が二つ設けられ、側面突起１２を図２に示す凹部１０の切込み部１３に通すようにして絶縁棒２の凹部１０に取手の凸部１１を押入れ、絶縁棒２或いは取手４の一方を回転させることで凸部１１の側面突起１２が凹部の窪み部１４に収まり、絶縁棒２と取手４が接続状態とされる。このようにして、絶縁棒２と取手４及び先端工具の接続にツイストロック９を用いることにより、容易に着脱を行うことが可能となる。また、凸部１１側にはネジ溝１５及びボルト１６が設けられ、接続部材３及び接続部６が接続された部分（ツイストロック９の部分）をボルト締めすることで確実に接続することができる。
【００２４】
このようにして用意された間接活線工具１を実際に電柱上の作業に用いる際に、電柱上で一時的に間接活線工具１が不要となった場合、これまでは図４に示すような収納袋１７に間接活線工具１を収め、収納袋１７を電柱１８の足掛け１９などの凸部に吊下げて保管していた。しかしながら、この収納袋１７自体が大きいため作業の妨げとなったり、間接活線工具１の出し入れの際に一度間接活線工具１を収納袋１７の開口部よりも高位置にする必要があるため、間接活線工具１の上下に伴って電路（不図示）に接触してしまったり、収納袋１７からの間接活線工具１の出し入れに手間がかかったりする等の虞があった。
【００２５】
そこで、図１の間接活線工具１の絶縁棒２から図３の取手４が取外され、図５に示す本発明の間接活線工具吊下具２０が間接活線工具１に取付けられる。本発明の間接活線工具吊下具２０は図３の取手４と同様に接続部２１（凸部２２）を備え、図３の取手４の柄の部分が吊下部２３としての絶縁性の紐状部材２４に替わり、紐状部材２４は一端が間接活線工具吊下具２０の本体２５の接続部２１と逆側に設置されたリング部２６に固定され、他端に着脱自在なフック２７が設けられたものである。接続部２１に側面突起２８が設けられ、取手と同様に切込み部１３（図２）に通して本体２５或いは絶縁棒２を回すことで側面突起２８が窪み部１４に収まり、絶縁棒２と本体２５が接続状態とされる。そして、フック２７をリング部２６に取付け、紐状部材２４を輪にすることで、図６（ａ）に示す電柱１８の足掛け１９などの凸部、図６（ｂ）に示す電柱１８の開放されていない支持具２９、図６（ｃ）に示す一端が電柱１８や活線作業者などに固定された絶縁性を有するロープ３０、図６（ｄ）に示す活線作業者３１の身体の一部、及び活線作業者の作業着の一部（不図示）などに間接活線工具を吊下げることができる。
【００２６】
本発明の間接活線工具吊下具２０は間接活線工具に既存の接続部材を利用して接続することが出来るため、取付け／取外しを容易に行うことができ、さらに紐状部材を備えた間接活線工具吊下具であるため、開放されていない部分への吊下げが可能となる。
【００２７】
以上のように間接活線工具吊下具２０が間接活線工具１に取付けられることで、これまでの間接活線工具の収納袋１７は不要となり、収納袋１７により作業が妨げられることが無く、収納袋１７からの間接活線工具１の出し入れに伴う手間を省いて作業性が向上し、また収納袋１７からの出し入れに伴う間接活線工具１の活線との接触による感電や間接活線工具１の落下も防止することができる。さらに、間接活線工具１の保管時において、間接活線工具吊下具２０を取付けた状態で吊下げて保管することにより、壁に立てかけたり、倒した状態で通路に置いて保管したりする必要が無くなる。このため、壁に立てかけた間接活線工具が倒れたり、倒した状態で通路に置いた間接活線工具が作業の妨げになったりすることなく、狭い場所に多数の間接活線工具を安全な状態に保管することができる。
【００２８】
本実施形態における間接活線工具吊下具２０に用いられる全ての部材は絶縁材料からなるか、或いは絶縁材料で被覆されることが望ましいが、活線作業者３１に触れない部分は導電性材料を用いても良い。
【００２９】
また、同様にして本実施形態における間接活線工具吊下具２０に用いられる全ての部材及び被覆材は難燃性を有することが望ましい。例えば紐状部材２４は難燃性樹脂或いは難燃性を有するように加工された繊維からなるものが好適である。
【００３０】
本実施形態においてはツイストロック９を利用して間接活線工具と間接活線工具吊下具とを接続する場合を例示したが、接続はツイストロック９に限定されない。また、接続に用いられる凸部と凹部はそれぞれが先端工具或いは取手の接続部側であっても絶縁棒の接続部材側であっても良い。さらに、間接活線工具吊下具２０は必ずしも紐状部材２４及びフック２７の双方を備える必要は無く、紐状部材２４の替わりにリング状部材が設けられてリング状部材にフックが取付けられていたり、フックを用いずに紐状部材のみ或いはリング状部材のみであったり、紐状部材及びリング部材を備えずにフックのみが取付けられたりしていても良い。
【図面の簡単な説明】
【００３１】
【図１】本発明の実施形態に係る間接活線工具吊下具が取付けられる間接活線工具の概略図である。
【図２】本発明の実施形態に係る間接活線工具吊下具が接続される間接活線工具の接続部材の概略図である。
【図３】本発明の実施形態に係る間接活線工具吊下具が取付けられる間接活線工具に取付けられた既存の取手の概略図である。
【図４】従来電柱上で用いられている間接活線工具の収納袋の概略図である。
【図５】本発明の実施形態に係る間接活線工具吊下具の概略図である。
【図６】本発明の実施形態に係る間接活線工具吊下具の使用例を示す概略図である。
【符号の説明】
【００３２】
１    間接活線工具
２    絶縁棒
３    接続部材
４    取手
５    先端工具
６、２１  接続部
７    補助棒
８    レバー
９    ツイストロック
１０  凹部
１１、２２  凸部
１２、２８  側面突起
１３  切込み部
１４  窪み部
１５  ネジ溝
１６  ボルト
１７  収納袋
１８  電柱
１９  足掛け
２０  間接活線工具吊下具
２３  吊下部
２４  紐状部材
２５  本体
２６  リング部
２７  フック
２９  支持具
３０  ロープ
３１  活線作業者
【図１】
2008017585.tif 000003
【図２】
2008017585.tif 000004
【図３】
2008017585.tif 000005
【図４】
2008017585.tif 000006
【図５】
2008017585.tif 000007
【図６】
2008017585.tif 000008